(57)【要約】【課題】 分岐ブレーカを流れる電流の計測に加えて太陽光発電の発電電力等を計測する機器が収容されても、省スペースでそれらの機器を収容して外部に計測データを出力する分電盤を提供する。【解決手段】  個々の分岐ブレーカ２に流れる電流を計測する複数の電流センサ２３を有して個々の分岐電流を計測する電流センサユニット２０と、太陽光発電の発電電力を計測する拡張計測ユニット３と、水道使用量を計測するパルス計測ユニット４と、各ユニットの情報から消費電力情報、発電電力情報、水道使用量情報等を外部に出力する通信計測ユニット５とを具備し、拡張計測ユニット３、バルス計測ユニット４は、通信計測ユニット５からケーブルＣを介して電源の供給を受け、双方のハウジング形状を分岐ブレーカ２と略同一形状とした。【選択図】  図１
2014193101.tif 000002
【特許請求の範囲】
【請求項１】
主幹ブレーカと、当該主幹ブレーカの２次側に配設された主幹バーに対して、その両側のうち少なくとも一方の側に列設した複数の分岐ブレーカとを有し、前記分岐ブレーカの一次側端子を前記主幹バーに接続して前記主幹バーから電路を分岐する分電盤であって、
個々の前記分岐ブレーカに流れる電流を計測する複数の電流センサを具備して、個々の分岐電流を計測する電流センサユニットと、
太陽光発電の発電電力、ガス発電の発電電力、電気温水器の消費電力のうちのいずれかの電力を計測する少なくとも１つの拡張計測ユニットと、
前記電流センサユニットが計測した電流情報、及び前記拡張計測ユニットが計測した電力情報を入手して、消費電力或いは発電電力を演算して出力する通信計測ユニットとを具備し、
前記拡張計測ユニットは、前記通信計測ユニットが具備する電源部からケーブルを介して直流電源の供給を受け、且つ前記拡張計測ユニットは前記分岐ブレーカと略同一形状であり、前記分岐ブレーカ設置部位に組み付け可能であることを特徴とする分電盤。
【請求項２】
前記拡張計測ユニットの背部には、前記分岐ブレーカの背部に設けられた前記主幹バーを挿入して接続する一次側端子に合わせて、凹部が形成されて成ることを特徴とする請求項１記載の分電盤。
【請求項３】
前記通信計測ユニットは、水道使用量情報及びガス使用量のうち少なくとも一方を演算して前記電力情報と共に出力すると共に、
水道メータ、或いはガスメータが出力するパルス信号を基に、水道使用量或いはガス使用量情報を出力するパルス計測ユニットを具備し、
前記パルス計測ユニットは、前記通信計測ユニットが具備する電源部からケーブルを介して直流電源の供給を受け、且つパルス計測ユニットは前記分岐ブレーカと略同一形状であり、前記分岐ブレーカ設置部位に組み付け可能であることを特徴とする請求項１又は２記載の分電盤。
【請求項４】
前記パルス計測ユニットの背部には、前記分岐ブレーカの背部に設けられた前記主幹バーを挿入して接続する一次側端子に合わせて、凹部が形成されて成ることを特徴とする請求項３記載の分電盤。
【請求項５】
前記拡張計測ユニットの前記凹部形成面に直交する前記分岐ブレーカ列設方向の厚みが、略１０ｍｍであることを特徴とする請求項２記載の分電盤。
【発明の詳細な説明】
【技術分野】
【０００１】
本発明は、分岐電路毎の電流を計測する電流センサ、及び計測した分岐電流等のデータを外部に出力するユニットを搭載した分電盤に関する。
【背景技術】
【０００２】
従来より、個々の分岐電路に流れる電流を計測して分岐電路毎の消費電力を計測する機器を備えた分電盤がある。例えば、特許文献１では、分電盤内に個々の分岐電路の電流を計測するためのセンサを備えた分岐電流センサ基板、計測した電流値を判断したり電力を演算する計測制御ユニット、電流異常の発生を報知する報知ユニット等を配置して、閾値を設定して分岐電流が閾値を超えるとＬＥＤの発光で表示通知したり警報を発するよう構成し、きめ細かい電力の管理を可能としている。
【先行技術文献】
【特許文献】
【０００３】
【特許文献１】特開２００８−１３６２７９号公報
【発明の概要】
【発明が解決しようとする課題】
【０００４】
しかしながら上記特許文献１の構成の場合、計測制御ユニットが分岐ブレーカと略同一形状で形成されており、分岐ブレーカの列に連続するよう設置でき、省スペースで設置できる構成となっているが、太陽光発電の発電電力を計測したり電気温水器の消費電力の計測する機器を組み付ける場合、更には水道使用量やガス使用量を計測する機器を組み付ける場合は、分電盤内或いは外部に広い設置スペースを必要とした。
【０００５】
そこで、本発明はこのような問題点に鑑み、分岐ブレーカを流れる電流を計測して消費電力情報を出力する機器に加えて、太陽光発電の発電電力や水道使用量等を計測する機器の小型化を図り、それらの機器を省スペースに組み込んで、外部に個々の計測データを出力する小型の分電盤を提供することを目的としている。
【課題を解決するための手段】
【０００６】
上記課題を解決する為に、請求項１の発明は、主幹ブレーカと、当該主幹ブレーカの２次側に配設された主幹バーに対して、その両側のうち少なくとも一方の側に列設した複数の分岐ブレーカとを有し、分岐ブレーカの一次側端子を主幹バーに接続して主幹バーから電路を分岐する分電盤であって、個々の分岐ブレーカに流れる電流を計測する複数の電流センサを具備して、個々の分岐電流を計測する電流センサユニットと、太陽光発電の発電電力、ガス発電の発電電力、電気温水器の消費電力のうちのいずれかの電力を計測する少なくとも１つの拡張計測ユニットと、電流センサユニットが計測した電流情報、及び拡張計測ユニットが計測した電力情報を入手して、消費電力或いは発電電力を演算して出力する通信計測ユニットとを具備し、拡張計測ユニットは、通信計測ユニットが具備する電源部からケーブルを介して直流電源の供給を受け、且つ拡張計測ユニットは分岐ブレーカと略同一形状であり、分岐ブレーカ設置部位に組み付け可能であることを特徴とする。
この構成によれば、太陽光発電の発電電力、ガス発電の発電電力、或いは電気温水器の消費電力等を計測する拡張計測ユニットは、通信計測ユニットから直流電源が供給されるため、自身に電源に必要な変圧器を設ける必要がない。よって小型にでき、分岐ブレーカと略同一形状とすることで、分岐ブレーカ設置部位に組み付け可能となり、専用の設置スペースを確保する必要がなく、分電盤の小型化を図ることができる。
尚、ここで言う「略同一形状」とは完全同一形状を含むし、分岐ブレーカ設置部位に組み付け可能な形状であれば近似した形状も含むものである。
【０００７】
請求項２の発明は、請求項１に記載の構成において、拡張計測ユニットの背部には、分岐ブレーカの背部に設けられた主幹バーを挿入して接続する一次側端子に合わせて、凹部が形成されて成ることを特徴とする。
この構成によれば、拡張計測ユニットは、主幹バーを収容する凹部を備えるため、回路素子を組み付ける内部容量を確保しつつ主幹バーがあっても無理なく設置できる。
【０００８】
請求項３の発明は、請求項１又は２に記載の構成において、通信計測ユニットは、水道使用量情報及びガス使用量のうち少なくとも一方を演算して電力情報と共に出力すると共に、水道メータ、或いはガスメータが出力するパルス信号を基に、水道使用量或いはガス使用量情報を出力するパルス計測ユニットを具備し、パルス計測ユニットは、通信計測ユニットが具備する電源部からケーブルを介して直流電源の供給を受け、且つパルス計測ユニットは分岐ブレーカと略同一形状であり、分岐ブレーカ設置部位に組み付け可能であることを特徴とする。
この構成によれば、水道使用量或いはガス使用量情報を出力するパルス計測ユニットは、通信計測ユニットから直流電源が供給されるため、自身に変圧器を備えた電源回路を設ける必要がなく、小型に形成できる。そして、分岐ブレーカと略同一形状とすることで、分岐ブレーカ設置部位に組み付け可能となり、専用の設置スペースを確保する必要がなく、分電盤の小型化を図ることができる。
【０００９】
請求項４の発明は、請求項３に記載の構成において、パルス計測ユニットの背部には、分岐ブレーカの背部に設けられた主幹バーを挿入して接続する一次側端子に合わせて、凹部が形成されて成ることを特徴とする。
この構成によれば、パルス計測ユニットは、主幹バーを収容する凹部を備えるため、回路素子を組み付ける内部容量を確保しつつ主幹バーがあっても無理なく設置できる。
【００１０】
請求項５の発明は、請求項２に記載の構成において、拡張計測ユニットの凹部形成面に直交する分岐ブレーカ列設方向の厚みが、略１０ｍｍであることを特徴とする。
この構成によれば、拡張計測ユニットの幅が１０ｍｍであるため、分岐ブレーカの幅が１０ｍｍであっても、分岐ブレーカの列の中に混ぜて設置でき、最小のスペースで設置できる。
【発明の効果】
【００１１】
本発明によれば、太陽光発電の発電電力、ガス発電の発電電力、或いは電気温水器の消費電力等を計測する拡張計測ユニットは、通信計測ユニットから直流電源が供給されるため、自身に電源に必要な変圧器を設ける必要がない。よって小型にでき、分岐ブレーカと略同一形状とすることで、分岐ブレーカ設置部位に組み付け可能となり、専用の設置スペースを確保する必要がなく、分電盤の小型化を図ることができる。
また、水道メータ、或いはガスメータが出力するパルス信号情報を基に水道使用量或いはガス使用量情報を出力するパルス計測ユニットも、通信計測ユニットから直流電源が供給されるため、自身に変圧器を備えた電源回路を設ける必要がなく、小型に形成できる。そして、分岐ブレーカと略同一形状とすることで、分岐ブレーカ設置部位に組み付け可能となり、専用の設置スペースを確保する必要がなく、分電盤の小型化を図ることができる。
【図面の簡単な説明】
【００１２】
【図１】本発明に係る分電盤の一例を示し、前面板を外した正面図である。
【図２】図１の分電盤を模式的に示す構成図である。
【図３】図１の要部機器を回路ブロック図で示した図である。
【図４】電流センサユニットを示し、（ａ）は平面図、（ｂ）は正面図である。
【図５】主幹バーを示し、（ａ）は平面図、（ｂ）は正面図である。
【図６】拡張計測ユニットを示し、（ａ）は平面面、（ｂ）は正面図、（ｃ）は左側面図である。
【図７】パルス計測ユニットの外観図であり、（ａ）は平面図、（ｂ）は正面図、（ｃ）は左側面図である。
【図８】通信計測ユニットの外観図であり、（ａ）は平面図、（ｂ）は正面図、（ｃ）は左側面図である。
【図９】主幹ブレーカと１本の主幹バーと電流センサユニットを取り付けた分電盤の斜視図である。
【図１０】Ａ部拡大図である。
【図１１】絶縁カバーを装着した電流センサユニットの斜視図である。
【図１２】上段の分岐ブレーカを外した分電盤の斜視図である。
【図１３】Ｂ部拡大図である。
【発明を実施するための形態】
【００１３】
以下、本発明を具体化した実施の形態を、図面を参照して詳細に説明する。図１は本発明に係る分電盤の一例を示し、前面板を外した正面図を示している。図１において、１は主幹ブレーカ、２は分岐ブレーカ、３は太陽光発電の発電電力や電気温水器の消費電力を計測するための拡張計測ユニット、４は水道メータやガスメータが出力するパルスから使用量を計測するパルス計測ユニット、５は計測したデータを外部に出力する通信計測ユニットである。図１に示すように、分岐ブレーカ２は上下２段でそれぞれ列設され、拡張計測ユニット３、パルス計測ユニット４、通信計測ユニット５は、分岐ブレーカ２の列に連続するように設置されている。
尚、８は太陽光発電設備への一次送り開閉器等を収容するフリースペース、９は分岐先の表示等に使用されるネームプレートである。
【００１４】
図２はこの分電盤に組み付けた機器の接続を示す構成図であり、主幹ブレーカ１の２次側に接続導体１１を介して接続された主幹バー１０が分電盤中央において左右に亘って配設され、この主幹バー１０に対して、分岐ブレーカ２が隣接して上下にそれぞれ列設されている。また、２１は分岐電流を計測するための電流センサ基板、２２は計測した分岐電流情報を通信計測ユニット５に送信するためのセンサ接続基板であり、双方で電流センサユニット２０を構成し、主幹バー１０に重ねるように設置されている。
【００１５】
そして、ＳＰは太陽電池パネル、１２は太陽電池パネルを引き込み線Ｌが接続された主幹ブレーカ１の一次側に接続するための一次送り開閉器であり、拡張計測ユニット３は太陽光発電電流を変流器１３により入手し、その発電電力を演算して通信計測ユニット５に送信する。尚、図２では太陽光発電を計測する拡張計測ユニット３のみ示し、電気温水器の消費電力を計測する拡張計測ユニット３は同様の構成であるため省略してある。
【００１６】
図３は拡張計測ユニット３、パルス計測ユニット４、通信計測ユニット５の要部回路ブロック図を示している。拡張計測ユニット３は、変流器１３により検出された太陽光発電の電路電流情報から電力を演算する電力計測部３１、拡張計測ユニット３を制御する制御ＣＰＵ３２、演算した計測データを通信計測ユニット５へ送信する通信ＩＦ３３等を備えている。尚、３４は通信計測ユニット５からケーブルＣを介して伝送される電源としての直流電圧を入力する電源端子、３５は電流の検出対象が単相２線か単相３線かを切り替える切替スイッチである。単相３線式の場合は２つの変流器１３，１３ａが使用される。
【００１７】
パルス計測ユニット４は、水道メータが出力するパルス信号（水道パルス）、及び都市ガス等の使用量を計測するガスメータが出力するパルス信号（ガスパルス）が入力され、それぞれの使用量を計測するパルス計測部４１、パルス計測ユニット４全体を制御する制御ＣＰＵ４２、通信計測ユニット５へ計測データを送信する通信ＩＦ４３等を備えている。尚、４４は通信計測ユニット５からケーブルＣを介して伝送される（この形態では、拡張計測ユニット３を経由して送信される）電源としての直流電圧を入力する電源端子である。
【００１８】
通信計測ユニット５は、主幹バー１０に接続されて自身の駆動電源及び各ユニットの駆動電源を生成する電源部５１、この電源部５１から主幹バー１０の電圧情報を入手して電力演算のための電圧データを生成する計測電圧変換部５２、電流センサユニット２０から送信される電流情報や引き込み線Ｌに流れる電流を変流器１４から入手してそれぞれの電力を演算する電力計測部５３、通信計測ユニット５全体を制御する制御ＣＰＵ５４、拡張計測ユニット３及びパルス計測ユニット４から発電電力データや水道／ガス使用量データを入手するための内部通信ＩＦ５５、外部のパーソナルコンピュータ等にＬＡＮを介して計測したデータを出力する外部通信ユニット５６等を備えている。
【００１９】
図４は電流センサユニット２０を示し、（ａ）は平面図、（ｂ）は正面図を示している。電流センサユニット２０は、上述したように電流センサ基板２１とセンサ接続基板２２とで構成され、電流センサ基板２１は、個々の分岐ブレーカ２に流れる電流を計測する部位に切り欠き２１ａを形成した櫛状部２１ｂを有し、それぞれの切り欠き２１ａの側部に電流センサ２３が組み付けられている。この電流センサ２３は、例えばＧＭＲ素子（巨大磁気抵抗素子）が使用される。
【００２０】
センサ接続基板２２は、複数の電流センサ基板２１とコネクタ２４を介して接続され、個々の電流センサ２３が検出した電流情報を収集する。図４に示すように上向きの櫛状部２１ｂを備えた電流センサ基板２１と、下向きの櫛状部２１ｂを備えた電流センサ基板２１が取り付けられ、単相３線式電路の電圧相を構成する２本の主幹バー１０から分岐される電流をそれぞれ計測する。
そして、センサ接続基板２２の端部には、通信計測ユニット５を接続するためのコネクタ２５が設けられている。
尚、図４（ａ）の平面図に示す面が、電流センサユニット２０を分電盤に組み付けた状態では前方を向き、図４（ｂ）に示す前面が分電盤に組み付けた状態で上方を向く。また、図４では４枚の電流センサ基板２１と１枚のセンサ接続基板２２とで１つの電流センサ基板２０を構成している。
【００２１】
図５は主幹バー１０を示し、（ａ）は平面図、（ｂ）は正面図である。単相３線式電路の場合、主幹バー１０は２本の電圧相と１本の中性相とから成る３本で構成され、図５は電圧相に使用される主幹バー１０を示している。この主幹バー１０は、長辺側の両側部に分岐ブレーカ２を接続する接続部１５を形成し、電圧相に使用される主幹バー１０は、一方の側部に分岐電流検出のための複数の切り欠き１０ａを設けて、分岐バー１０ｂを形成している。
また、切り欠き１０ａの奥部は、電流センサ基板２１の櫛状部２１ｂの個々の突起を挿入するための挿入部１０ｃが拡幅して形成されている。他方の側部は、接続部１５が凹凸のない一様な端面で形成されている。
【００２２】
分岐バー１０ｂは、接続される分岐ブレーカ２の設置間隔に合わせた（分岐ブレーカ２の幅に合わせた）ピッチで形成され、上述した電流センサ基板２１の櫛状部２１ｂを挿入部１０ｃに挿入して噛み合わせるように係合させることで、電流センサ２３を分岐バー１０ｂに近接配置し、主幹バー１０に流れる電流のうち分岐バー１０ｂに流れる電流を検出することが可能となる。
【００２３】
尚、主幹バー１０のうち、電圧相に使用される主幹バー１０に関しては、電流を計測するために分岐バー１０ｂが一方に形成されているが、中性相に使用される主幹バー１０は電流を計測しなくて良いため分岐バー１０ｂが無く、両側部とも凹凸のない一様な端面で形成される。
【００２４】
図６は拡張計測ユニット３を示し、（ａ）は平面図、（ｂ）は正面図、（ｃ）は左側面面図である。拡張計測ユニット３は、幅ｔ１が１０ｍｍであり、図１に示している分岐ブレーカ２と同一の幅で形成されている。他の寸法も分岐ブレーカ２と同一の寸法で形成され、背面には分岐ブレーカ２の一次側端子の形状に合わせて主幹バー１０を挿入する凹部３８が３箇所に形成され、ハウジングは同一形状となっている。
そして、上面及び前面には、変流器接続端子３６、通信ＩＦ３３が接続された通信端子３７、アドレスを設定するためのアドレス設定スイッチ３９等が設けられている。この結果、図１に示すように分岐ブレーカ２と全く同様に設置でき、設置した状態では図６（ａ）の平面が分電盤の前方を向く。
尚、図３に示す電源端子３４は、通信端子３７内に設けられている。また、凹部３８は主幹バー１０に嵌合するが接続されない。
【００２５】
図７は、パルス計測ユニット４を示し、（ａ）は平面図、（ｂ）は正面図、（ｃ）は左側面図である。パルス計測ユニット４は、幅ｔ２が２０ｍｍであり、分岐ブレーカの２倍の寸法となっているが、全体の形状は分岐ブレーカ２と略同一で形成され、背面には拡張計測ユニット３と同様に、主幹バー１０を挿入する凹部４８が３箇所に形成されている。
そして、上面及び前面には、パルス信号入力端子４６、通信ＩＦ４３が接続された通信端子４７、アドレスを設定するためのアドレス設定スイッチ４９等が設けられている。この結果、図１に示すように分岐ブレーカ２に隣接して設置でき、設置した状態では図７（ａ）の面が分電盤の前方を向く。
尚、図３に示す電源端子４４は、通信端子４７内に設けられている。また、凹部４８は主幹バー１０に嵌合するが接続されない。
【００２６】
図８は通信計測ユニット５を示し、（ａ）は平面図、（ｂ）は正面図、（ｃ）は左側面図である。通信計測ユニット５は、上面に変流器を接続する電流端子５８、各機器と通信するための機器通信端子５９、外部へ信号を出力する外部通信端子６０等が設けられ、前面に電流センサユニット２０に接続する電流センサユニット接続端子６１が設けられている。また、電流センサユニット接続端子６１に隣接する前面には、主幹バー１０に接続して電源を確保すると共に電路電圧情報を入手するための電源端子６２を備えている。
通信計測ユニット５は、分岐ブレーカ２に隣接する部位となる電流センサユニット２０のコネクタ２５が配置された部位に設置され、コネクタ６１がコネクタ２５に接続されると同時に、電源端子６２に主幹バー１０が挿入されて連結される。
【００２７】
図９は主幹ブレーカ１と、分電盤最深部に配置した１本の主幹バー１０と、電流センサユニット２０とを組み付けた分電盤の斜視図を示し、図１０はＡ部拡大図を示している。図９、図１０に示すように、電流センサユニット２０の電流センサ基板２１は、主幹バー１０に形成された分岐バー１０ｂに対して直交方向から交差するよう配置される。
また、図１１は図９に示す電流センサユニット２０を抜き出した単体を示し、分電盤上方から見た斜視図を示している。図１１に示すように、電流センサユニット２０は絶縁カバー２６で保護されて主幹バー１０に対して電気的な接触が発生しないように装着される。
【００２８】
図１２は、上段の分岐ブレーカ２を外した分電盤の斜視図を示している。具体的に、主幹ブレーカ１、３枚全ての主幹バー１０（１０Ｒ，１０Ｓ，１０Ｔ）、分岐ブレーカ２、電流センサユニット２０、拡張計測ユニット３等を組み付けた分電盤を斜め上方から見た斜視図を示し、図１３はＢ部拡大図を示している。
最前部の主幹バー１０Ｒは中性相の主幹バー、中間部と最深部の主幹バー１０Ｓ，１０Ｔは電圧相の主幹バーであり、電圧相を構成する主幹バー１０Ｓ，１０Ｔに対して分岐バー１０ｂが形成され、電流センサユニット２０により分岐電流が計測される。
但し、中間部の主幹バー１０Ｓは上方に向けて分岐バーが形成され、最深部の分岐バーは下方に向けて分岐バー１０ｂが形成されているため、図１３において分岐バー１０ｂが確認できるのは、中間部の主幹バー１０Ｓのみである。
【００２９】
このように、拡張計測ユニット３は、通信計測ユニット５から直流電源が供給されるため、自身に電源に必要な変圧器を設ける必要がない。よって小型にでき、分岐ブレーカ２と略同一形状とすることで、分岐ブレーカ設置部位に組み付け可能となり、専用の設置スペースを確保する必要がなく、分電盤の小型化を図ることができる。更に、主幹バー１０を収容する凹部３８を備えるため、回路素子を組み付ける内部容量を確保しつつ主幹バー１０があっても無理なく設置できる。
また、パルス計測ユニット４は、通信計測ユニット５から直流電源が供給されるため、自身に変圧器を備えた電源回路を設ける必要がなく、小型に形成できる。そして、分岐ブレーカ２と略同一形状とすることで、分岐ブレーカ設置部位に組み付け可能となり、専用の設置スペースを確保する必要がなく、分電盤の小型化を図ることができる。更に、主幹バー１０を収容する凹部４８を備えるため、回路素子を組み付ける内部容量を確保しつつ主幹バー１０があっても無理なく設置できる。
また、拡張計測ユニット３の幅が１０ｍｍであるため、分岐ブレーカ２の幅が１０ｍｍであっても、分岐ブレーカ２の列の中に混ぜて設置でき、最小のスペースで設置できる。
【００３０】
尚、上記実施形態では、拡張計測ユニット３の幅を分岐ブレーカ２に合わせて１０ｍｍとして、全体を同一の寸法で形成したが、幅は１０ｍｍでなくとも良く、例えばパルス計測ユニット４のように、分岐ブレーカ２個分の幅で形成しても良い。また全体の形状は分岐ブレーカ設置部位に組み付け可能であって、分岐ブレーカ２の列に連続設置可能な形状であれば良く、専用の設置スペースが必要無くなり省スペースで組み付けできる。
また、パルス計測ユニット４は、分岐ブレーカ２の２倍の幅とし、前後の長さ及び高さを同一の寸法として、全体を分岐ブレーカ２に略等しい形状としているが、同一寸法で形成しても良い。分岐ブレーカ２を幅２０ｍｍのものを使用すれば当然分岐ブレーカ２と同一の寸法で形成できることに成る。
更に、拡張計測ユニット３と同様に、パルス計測ユニット４の全体の形状は分岐ブレーカ設置部位に組み付け可能であって、分岐ブレーカ２の列に連続設置可能な形状であれば良く、専用の設置スペースを必要としないため省スペースで組み付けできる。
また、上記実施形態の拡張計測ユニット３は、太陽光発電の発電電力を計測する場合を具体的に説明したが、電気温水器の消費電力の計測も同時に実施する場合は図１に示すように拡張計測ユニット３を２台設置すれば良い。更に、太陽光発電に限らずガス発電の発電電力を拡張計測ユニットで計測しても良く、図１では拡張計測ユニット３を２台、パルス計測ユニット４を１台設置した分電盤を示しているが、この設置数は計測対象機器の数や種類に応じて変更される。
【符号の説明】
【００３１】
１・・主幹ブレーカ、２・・分岐ブレーカ、３・・拡張計測ユニット、３・・パルス計測ユニット、５・・通信計測ユニット、１０・・主幹バー、１０ｂ・・分岐バー、２０・・電流センサユニット、２３・・電流センサ、３４・・電源端子、３８・・凹部、４８・・凹部、４４・・電源端子、５１・・電源部、Ｃ・・ケーブル、ＳＰ・・太陽電池パネル。
【図１】
2014193101.tif 000003
【図２】
2014193101.tif 000004
【図３】
2014193101.tif 000005
【図４】
2014193101.tif 000006
【図５】
2014193101.tif 000007
【図６】
2014193101.tif 000008
【図７】
2014193101.tif 000009
【図８】
2014193101.tif 000010
【図９】
2014193101.tif 000011
【図１０】
2014193101.tif 000012
【図１１】
2014193101.tif 000013
【図１２】
2014193101.tif 000014
【図１３】
2014193101.tif 000015